(57)【特許請求の範囲】
【請求項１】
上部が把持部とされたサンダにおいて、
側周部に、周囲に対して深くなる括れ部が設けられており、
前記括れ部が、前記把持部に対して窪んでおり、
前記側周部における、前記括れ部の水平方向の端部の奥に、当該括れ部より側方に突出する側方突出部が設けられている
ことを特徴とするサンダ。
【請求項２】
前記括れ部に、突起が設けられている
ことを特徴とする請求項１に記載のサンダ。
【請求項３】
前記括れ部に、周囲に対し更に窪む水平方向に長い窪み部が形成されている
ことを特徴とする請求項１又は請求項２に記載のサンダ。
【請求項４】
前記括れ部の下方に、当該括れ部より外方に突出する突出部が配置されている
ことを特徴とする請求項１ないし請求項３の何れかに記載のサンダ。
【請求項５】
前記括れ部における水平方向の端縁に、周囲に対し更に深くなる段部が設けられている
ことを特徴とする請求項１ないし請求項４の何れかに記載のサンダ。
【請求項６】
パッドを駆動するモータに対し給電するバッテリがバッテリ装着部において装着可能とされており、
前記括れ部における前記バッテリ装着部側の端縁が、全体の重心の上方よりバッテリ装着部に近い側に位置する
ことを特徴とする請求項１ないし請求項５の何れかに記載のサンダ。
【発明の詳細な説明】
【技術分野】
【０００１】
本発明は、サンダに関する。
【背景技術】
【０００２】
下記特許文献１に示されるように、パームサンダと呼ばれるサンダが知られている。このサンダは、研磨パッドと逆側となるハウジング上部を片手で包むことで使用される（片手用の把持部を上部に有するパーム型）。当該把持部は、寝かせた半円柱状に形成され、その下側の本体にほぼ同じ幅をもって連続するようにつなげられている。
又、把持部が長く両手用であってパーム型ではないが、把持部が筒状に形成されたサンダが知られている（下記特許文献２）。このサンダは、工具（パッド）の上方に位置するベース部と把持部の間の中央を窪ませ、上方から手を当てた場合に指先が窪みに位置するように形成される。
【先行技術文献】
【特許文献】
【０００３】
【特許文献１】米国特許第７２９１０６２号公報
【特許文献２】特開２００９−１６６１４７号公報
【発明の概要】
【発明が解決しようとする課題】
【０００４】
特許文献１のサンダでは、寝かせた円柱状であるため、上方からは掴みやすいものの、前後両側方（側周部へ向かう方向）からは掴み難い。
特許文献２のサンダでは、窪みに指先を当て把持部を包むことで上方からの握り具合を更に手の形態に合致した良好なものとすることができるものの、前後から握ることは、バッテリやモータ収納部の干渉や窪みへの指先の未到達により困難であるし、何れかの側方から握ることも、前後方向に長い全体形状からやはり困難である。
【０００５】
そこで、本発明は、上方以外の方向からも握り易く、操作を安定して実行可能なサンダを提供することを主な目的とするものである。
【課題を解決するための手段】
【０００６】
上記目的を達成するために、請求項１に記載の発明は、上部が把持部とされたサンダにおいて、側周部に、周囲に対して深くなる括れ部が設けられており、前記括れ部が、前記把持部に対して窪んでおり、前記側周部における、前記括れ部の水平方向の端部の奥に、当該括れ部より側方に突出する側方突出部が設けられていることを特徴とするものである。
請求項２に記載の発明は、上記発明において、前記括れ部に、突起が設けられていることを特徴とするものである。
請求項３に記載の発明は、上記発明において、前記括れ部に、周囲に対し更に窪む水平方向に長い窪み部が形成されていることを特徴とするものである。
請求項４に記載の発明は、上記発明において、前記括れ部の下方に、当該括れ部より外方に突出する突出部が配置されていることを特徴とするものである。
請求項５に記載の発明は、上記発明において、前記括れ部における水平方向の端縁に、周囲に対し更に深くなる段部が設けられていることを特徴とするものである。
請求項６に記載の発明は、上記発明において、パッドを駆動するモータに対し給電するバッテリがバッテリ装着部において装着可能とされており、前記括れ部における前記バッテリ装着部側の端縁が、全体の重心の上方より前記バッテリ装着部に近い側に位置することを特徴とするものである。
【発明の効果】
【０００７】
本発明の内、請求項１に記載の発明によれば、側周部の括れ部が上部に対しても窪んでおり、側周部における括れ部の水平方向の端部の奥に側方突出部が設けられているため、上部のみならず側周部からも握ることができ、側周部外方から握った場合に奥に深い括れ部を掴むことでしっかり握ることができ、上部に滑ろうとする手を支えて手による操作を安定したものとすることができる。
又、請求項２に記載の発明によれば、括れ部に突起を設けたので、上記効果に加え、側周部から掴んだ手に突起を当てることが可能となり、操作時の手のズレ（特に手前奥方向のズレ）を防止することができる。
更に、請求項３に記載の発明によれば、括れ部に更に窪み部を設けたので、窪み部に手の一部を当てられるようにすることができ、ズレの防止性能をより一層向上することができる。
又更に、請求項４に記載の発明によれば、括れ部の下方に突出部を設けたため、上記効果に加え、側周部からの手の下方へのズレを防止することができ、より一層操作を安定して確実に行うことができるし、手がパッドに触れる事態を防止することができる。
又、請求項５に記載の発明によれば、括れ部における握り始める側と反対側（奥）の終端縁において更に深くなる段部を設けたので、上記効果に加え、段部に手を掛けることで更に安定した操作が可能となる。
加えて、請求項６に記載の発明によれば、サンダの重心を通る鉛直線より奥に括れ部終端縁が位置するため、上記効果に加えて、重心を囲うように側周部から握ることができ、操作性を更に向上することが可能となる。
【図面の簡単な説明】
【０００８】
【図１】本発明に係るサンダの斜視図である。
【図２】図１の上面図である。
【図３】図１の前面図である。
【図４】図１の側面図である。
【図５】図４のＡ−Ａ線断面図である。
【図６】図４のＢ−Ｂ線断面図である。
【発明を実施するための形態】
【０００９】
以下、本発明の実施の形態を図面に基づいて説明する。
図１〜４は、順にサンダ１の斜視図・上面図・前面図・側面図であり、図５，６は、図４のＡ−Ａ線，Ｂ−Ｂ線の断面図である。
サンダ１は、ハウジング２の上部２ａ（把持部）をユーザの片方の手で握ることで操作可能なパーム型であって、上部２ａの脇にボタン３ａ，３ｂを備えている。
【００１０】
更に、サンダ１は、ハウジング２内の中央部において、鉛直な出力軸４を、その中心軸周りで回転自在に備えている（図５，６）。
又、出力軸４の中央部下側の周囲には、ファン９が固定されている（図１，４）。ハウジング２の下部におけるファン９収容部分は、その上側に対して両側方にそれぞれ突出する突出部２ｃ，２ｃとして形成されている。各突出部２ｃの側面には、ファン９の排気のための窓２ｄが開いている。
加えて、ハウジング２の下部であって、ファン９の脇（後述するバッテリ装着部４２の下側）には、塵入りのエアを排出する集塵管９ａとの接続部２ｂが形成されている。集塵管９ａは、接続部２ｂにおいて、接続ネジ９ｂにより固定されている。
【００１１】
出力軸４の先端には、パッド１０が取り付けられ、パッド１０の下面には、面ファスナー等を介して、工具の一例である研磨用のサンディングペーパー（図示せず）が取り付けられる。
パッド１０は、パッド本体１２と、その上側に配置されるパッド軸受具１４を有する。パッド軸受具１４は、出力軸４に対し固定されている。パッド軸受具１４における図示しない軸受は、出力軸４の中心軸に対し偏心するように配置されており、パッド１０は、出力軸４の回転により、パッド本体１２の中心周りで回転（自転）されると共に、パッド軸受具１４により当該中心が偏心回転（公転）される（オービタル回転）。
【００１２】
又、ハウジング２内における出力軸４の脇には、モータ３０が固定されている（図５，６）。
モータ３０下側の図示しない回転軸には、図示しないプーリが固定されている。一方、出力軸４における当該プーリの隣接位置には、図示しないプーリが設けられている。そして、これらプーリには、図示しないベルト（タイミングベルト）が掛けられている。モータ３０のプーリは、出力軸４のプーリより径の小さい状態とされており、回転軸３２の回転は出力軸４において減速される。
【００１３】
更に、ハウジング２外側であって、モータ３０に対して上部２ａないし出力軸４を挟んで反対側には、バッテリ４０が装着されている。即ち、モータ３０は、把持部あるいは出力軸４を挟んでバッテリ４０と反対側に配置されている。
バッテリ４０は、面取りされた直方体状を呈しており、一つの面に図示しない単数又は複数の端子が配置されている。
なお、バッテリ４０は、充電器により充電可能な充電池であり、サンダ１は充電式サンダとなっている。又、モータ３０ないしバッテリ４０に対し、そのスイッチとしての役目を果たすように、ボタン３ａ，３ｂが電気的に接続されている。
【００１４】
ハウジング２におけるモータ３０と逆側の外面（サンダ１の後側）は、バッテリ４０の端子面と対応する形状であるバッテリ装着部４２として形成されている。
バッテリ装着部４２は、バッテリ４０を出力軸４の軸線（サンダ１の上下）に対して上方になる程遠ざかる状態で傾けて案内するよう、下方となるに従い内側に入るように傾けられている。即ち、バッテリ４０の着脱は、バッテリ装着部４２の傾斜角度に合わせてスライドさせることで可能となる。バッテリ装着部４２は、図示しないバッテリ４０に対する係止部を備えており、当該係止部がバッテリ４０の装着時にバッテリ４０に係止し、バッテリ４０の抜脱時に当該係止部の係止が解除されることで、バッテリ４０を着脱自在に受け入れる。又、バッテリ装着部４２には、バッテリ４０の装着時にその端子と重なる図示しない端子が設けられている。当該端子は、モータ３０と電気的に接続されており、装着されたバッテリ４０の電力をモータ３０に供給することが可能となっている。
【００１５】
バッテリ装着部４２に装着されたバッテリ４０は、下方になる程サンダ１（ハウジング２）の中央に近づく状態（下方になる程内側になる状態）となる。又、装着されたバッテリ４０の下部が、パッド１０（の接触部）の端部上方より内側に入るよう、パッド１０（の接触部）、バッテリ４０ないしバッテリ装着部４２が形成されている。
装着されたバッテリ４０（の長手方向の中心線）は、図４において鉛直線から１８°ほど傾けられている。
又、バッテリ４０が装着されると、その上部がハウジング２の上部２ａと連続的となって揃うよう、バッテリ４０ないしバッテリ装着部４２が形成されている。
【００１６】
そして、ハウジング２の上部２ａは、その下側に対して両側方に膨出するように形成されている。なお、ボタン３ａ，３ｂは、その膨出部の前側に配置されている。
一方、ハウジング２下部において突出部２ｃが側方に出ており、サンダ１の両側部にあっては、上部２ａと突出部２ｃの間において括れ部４４が設けられることとなる。
【００１７】
各括れ部４４は左右互いに同様に成るため、主に一方の括れ部４４につき説明する。
括れ部４４は、後方へ行く程内側へ深くなるように形成されている。即ち、括れ部４４は、サンダ１（ハウジング２）の左右の中心に位置する前後方向に沿う面に対し、後方となる程近づくように形成されている。なお、括れ部４４は、全体的には、滑らかなカーブで構成される曲面により形成される。又、括れ部４４の後側は、バッテリ装着部４２が配置されることで側方に突出している。
従って、ハウジング２における括れ部４４，４４は、水平断面でみると、後方となる程窪んだ杓子状となる（図５，６）。即ち、括れ部４４，４４間の左右方向の距離は、前端から後方へ行くと一旦増加してモータ４の周辺位置で最大となり、更に後方へ行く程小さくなる。このような形状は、上方から以外の掴む方向を前方からに設定するものであり、本発明における側周部「外方」を前方とするものである。なお、掴むであろう方向あるいは「外方」は、サンダ１の側周部（前後左右）へ向かう方向（側周部にバッテリ装着部４２を設けた場合のバッテリ装着部４２へ向かう方向を除く）から選択可能であり、好ましくは水平（パッド１０下面と平行）である。
又、括れ部４４の後端縁４４ａから前端までの外寸は、一般ユーザの手の親指以外の指（特に中指）の先から掌中央までの寸法と合うようになっている。よって、括れ部４４の後端縁４４ａは、バッテリ４０を装着したサンダ１全体の重心の上方より奥（バッテリ装着部４２に近い側）に位置している。なお、当該重心は、比較的に重量の嵩むモータ４とバッテリ４０につき出力軸４を挟んで互いに逆側に対向させたため、出力軸４付近に位置する。
【００１８】
更に、括れ部４４の上部は、その下側に対して更に窪んだ窪み部４５として形成されている。窪み部４５は、前後方向（水平方向）に長く形成されていて、ユーザの指（特に人差指）の厚みの半分程の深さを有しており、前後方向の長さがユーザの指（特に人差指）の長さ程度となっている。
加えて、窪み部４５には、互いに同様の形状とされた、側方に突出する突起４６ａ，４６ｂ，４６ｃが設けられている。突起４６ａは、前方へ尖るく字状（ウェーブ状）に形成されている。突起４６ａ〜４６ｃは、前後方向において等間隔に並べられており、ユーザの指（特に人差指）の中央あるいは全体をカバーするようになっている。
又、各括れ部４４の後端縁４４ａには、周囲に対し更に深くなって凹部となっている段部４７が形成されている（図１，６）。段部４７は、上下方向に沿うように長くなっており、前から括れ部４４に手を添えると、段部４４には一般ユーザの中指と薬指の各指先が位置することとなる。
【００１９】
このようなサンダ１は、例えば次のように動作する。
即ち、動作停止状態において、バッテリ４０をバッテリ装着部４２に装着してボタン３ｂを押すと、バッテリ４０によりモータ３０への給電がなされ、回転軸３２が所定の速度で回転する。なお、ボタン３ａを押すとバッテリ４０による給電が遮断され、モータ３０が停止して動作停止状態となり、動作中にボタン３ａを（複数回）押すと、回転軸３２の速度が（数種類において順次）変更される。
【００２０】
モータ３０の回転軸は、上記ベルトないしプーリを介して、出力軸４を回転駆動する。
出力軸４の回転により、パッド１０がパッド軸受具１４の作用でオービタル回転する。
かように回転されるパッド１０を、ハウジング２の上部２ａや括れ部４４を把持することでワークに対し当てつつ移動させることにより、サンディングペーパー等を介してワークの表面に研磨等を施すことができる。
【００２１】
ハウジング２の上部２ａは、バッテリ４０の傾斜装着により、十分に確保されている。又、バッテリ４０の傾斜装着により、サンダ１の重心は傾斜させない場合に比べ中央寄りとなる。かような把持部の確保及び重心の中央寄りの配置は、バッテリ４０の装着角度につき鉛直線から０°を超えたものとすることで実現することができる。又、バッテリ４０を傾斜させすぎると、サンダ１の装置寸法が大きくなりすぎたり、内部構造のためのスペースをとり難くなるため、装着角度を鉛直線から３０°以内とすることが好ましい。なお、バッテリ４０の装着角度（長手方向の延在方向）につき鉛直線から０°とする場合も、把持部の確保及び重心の中央寄りの作用効果を呈するのであり、よってバッテリ４０の長手方向は鉛直方向に対して０°以上に延在させれば良い。
なお、出力軸４の回転によりファン９が回転し、その周囲における塵を含むエアを、接続部２ｂを通じて集塵管９ａへ排出する。
【００２２】
一方、バッテリ装着部４２側以外のサンダ１両側に設けた括れ部４４，４４が、その周囲に対して深くなるようにし、且つハウジング２の上部２ａがその下側の各括れ部４４，４４に対して側方に膨出するようにしたので、サンダ１前側（バッテリ装着部４２以外の側）からバッテリ４０等が干渉することなく把持し易いものとすることができ、更に膨出する上部２ａにより、手が上方に移動しようとしても食い止めることができ、手が上方に滑る事態を防止することができて、操作を安定した状態で確実に行うことができる。なお、括れ部４４を後方（前方から掴む場合の掴む側からみて奥）へ行く程周囲に対して深くなるようにしているため、より一層掌や指になじむ形状として、操作の確実性や安定性を更に向上することができる。
【００２３】
又、括れ部４４に外方へ突出する突起４６ａ〜４６ｃが設けられているため、サンダ１を横から掴んだ際に突起４６ａ〜４６ｃを手（指）に当てることができ、手の滑りを防止し、特に前後方向への滑りを防止して、手がサンダ１（の括れ部４４）から外れる事態を防止し、より一層操作を安定して確実に行うことができる。
【００２４】
更に、括れ部４４において前後方向に長い窪み部４５が設けられているため、横から把持した際に、窪み部４５に指を入れることで特に上下方向で滑る事態を防止することができ、更なる操作の安定確実化を図ることができるし、下方向に滑ることでパッドに手が触れる事態を防止することができる。
【００２５】
又更に、ハウジング２の下部において側方に突出する突出部２ｃ，２ｃが設けられているため、手が下方向に滑ろうとしても突出部２ｃ，２ｃにより食い止めることができ、操作の安定確実化を図り、パッド１０に手が触れる事態を防止することができる。
【００２６】
更に、括れ部のバッテリ装着部４２側の後端縁４４ａ（括れ部４４のバッテリ装着部４２側の端縁）において、窪み部の他に、別途周囲より更に深くなる（サンダ１の内側に近づく）段部４７が設けられるため、例えば一般ユーザが横から握った場合に中指や薬指の指先が来る位置に配置することができて、手に力を入れた際に指先を更に深い段部４７に入れ込ませることができ、握る際に力を込め易くしてより一層手の滑りを防止することができ、操作の安定確実化を図ることができる。
【００２７】
又、前から掴む場合の括れ部４４の後端縁４４ａを、サンダ１の重心が通る鉛直線より後（掴む側から見て奥）に配置したので、バッテリ装着部４２以外の側周から掴む場合に重心を抱えるように掴むことができ、安定した操作を確実に行うことができるサンダ１とすることができる。
【００２８】
なお、本発明は上記形態に限定されず、次にそれぞれ示す変更例を有するものである。ハウジングの括れ部につき、側部のみならず前側も括れさせたり、前側や一方の側部のみ括れさせたりする。あるいは、前方以外の側周部（バッテリ装着部側の後方を除く）に向かう方向から掴めるようにし、括れ部が奥になるに従い深くなるようにする。窪み部につき、括れ部の中央部や下部に設けたり、指複数本分の上下幅としたりする。突起につき、窪み部以外の括れ部（のみ）に設けたり、窪み部の上部及び／又は下部に配置したり、各側複数ではなく単独としたり、Ｗ字状のウェーブ状としたり、ウェーブ状ではなく棒状や各種のローレット状としたり、複数の突起の一部の形状を他と変えたり、３個以上の突起の一部の間隔を他と異なる間隔としたりする。段部を横長としたり、一つの指先のみ入るような長さとしたり、上部（窪み部）に配置したりする。括れ部や窪み部、突起、段部の形状を左右で異なるようにしたり、左右の何れか一方のみに設けたりする。
【００２９】
更に、バッテリの装着態様につき、バッテリ装着部に案内されるスライド取付方式に代えて、直接係止部に係止させるダイレクト取付方式を採用したり、蓋付きあるいは蓋なしの箱形の収容部を設けてバッテリを収容により装着する方式を採用したりする。バッテリの係止部やファン、集塵管等を省略したり、ネジやボタン、窓の数を増減したりする。ファンにつき通気機能のみ持たせてウエイトを考慮しないようにしたり、ボタンを各種モード切換用やオンオフ兼用としたり、ボタンに替えてレバースイッチを採用したり、ベルトとプーリをギアに替えたり、ネジをピンとしたり、バッテリを装着したサンダにおいて充電池を充電可能としたり、使い切りのバッテリを採用したりする等、各種部材の機能や配置、種類を適宜変更する。又、本発明を、パッドがオービタル回転するオービタルサンダ以外の他のサンダに適用する。
【符号の説明】
【００３０】
１・・サンダ、２・・ハウジング、２ａ・・（ハウジングの）上部（把持部）、２ｃ・・（ハウジングの）突出部、４・・出力軸、１０・・パッド、３０・・モータ、４０・・バッテリ、４２・・バッテリ装着部、４４・・括れ部、４４ａ・・（括れ部の）後端縁（バッテリ装着部側の端縁）、４５・・窪み部、４６ａ〜４６ｃ・・突起、４７・・段部。
【図１】
0005788782.tif 000002
【図２】
0005788782.tif 000003
【図３】
0005788782.tif 000004
【図４】
0005788782.tif 000005
【図５】
0005788782.tif 000006
【図６】
0005788782.tif 000007